(57)【要約】      （修正有）【課題】作業者にとって着脱が容易であり、また、様々な体型の作業者が装着して一定以上の冷却効果を得られるフリーサイズの保冷ベストを提供する。【解決手段】メッシュ素材で作製されたベスト本体１０と、ベスト本体１０の内面側の左脇腹部に対して面ファスナー５０にて着脱自在に止着された左袋状部７０と、ベスト本体１０の内面側の右脇腹部に対して面ファスナー６０にて着脱自在に止着された右袋状部８０と、ベスト本体１０の背中内面側の襟刳り近傍に固定された上袋状部２１と、右前身頃の裾部の外面側に沿って固定された面ファスナー４３と、右前身頃裾をウェストラインに沿って伸ばした腰帯状部３２の内面側に固定されて面ファスナー４３と雌雄係合する面ファスナー３３と、を備え、左袋状部７０、右袋状部８０及び上袋状部２１に保冷体２００を収容する。【選択図】図１
0003182383.tif 000002
【実用新案登録請求の範囲】
【請求項１】
メッシュ素材で作製されたベスト本体と、
前記ベスト本体の内側の左脇腹部に対して面ファスナーにて着脱自在に止着された第１袋状部と、
前記ベスト本体の内側の右脇腹部に対して面ファスナーにて着脱自在に止着された第２袋状部と、
前記ベスト本体の背中内面側の襟刳り近傍に固定された第３袋状部と、
一方の前身頃の裾部の外面側に沿って固定された第３面ファスナーと、
他方の前身頃裾をウェストラインに沿って伸ばした帯状部の内側に固定されて前記第３面ファスナーと雌雄係合する第４面ファスナーと、
を備え、
前記第１袋状部、第２袋状部及び第３袋状部に保冷体が収容されることを特徴とする保冷ベスト。
【請求項２】
前記第１袋状部を前記ベスト本体の内側の左脇腹部に対して止着する面ファスナーは、前記ベスト本体側に固定された雌雄何れかの面ファスナーが、ウェストライン方向において、前記第１袋状部と略同一サイズ又は前記第１袋状部よりも幅広に形成されている請求項１に記載の保冷ベスト。
【請求項３】
前記第２袋状部を前記ベスト本体の内側の右脇腹部に対して止着する面ファスナーは、前記ベスト本体側に固定された雌雄何れかの面ファスナーが、ウェストライン方向において、前記第２袋状部と略同一サイズ又は前記第１袋状部よりも幅広に形成されている請求項１又は請求項２に記載の保冷ベスト。
【請求項４】
前記第１袋状部を前記ベスト本体の内側の左脇腹部に対して止着する面ファスナーは、前記ベスト本体側に固定された雌雄何れかの面ファスナーが、上下方向において、前記第１袋状部と略同一サイズ又は前記第１袋状部よりも幅広に形成されている請求項１〜請求項３の何れか１項に記載の保冷ベスト。
【請求項５】
前記第２袋状部を前記ベスト本体の内側の右脇腹部に対して止着する面ファスナーは、前記ベスト本体側に固定された雌雄何れかの面ファスナーが、上下方向において、前記第２袋状部と略同一サイズ又は前記第１袋状部よりも幅広に形成されている請求項１〜請求項４の何れか１項に記載の保冷ベスト。
【請求項６】
前記第１袋状部、第２袋状部及び第３袋状部は、前記保冷体を出し入れするための開口と当該開口を覆うフラップをそれぞれ有し、
各前記フラップは、面ファスナーにより、前記フラップが前記開口を閉塞した状態で、各袋状部の本体に止着される請求項１〜請求項５の何れか１項に記載の保冷ベスト。
【考案の詳細な説明】
【技術分野】
【０００１】
本考案は、保冷体を収納可能な袋状部を内側に設けた保冷ベストに関する。
【背景技術】
【０００２】
福島県の原子力発電所における除染作業、製鉄所での作業、炎天下での各種作業等、高温環境下で作業員が作業せざるをえない場合がある。このような場合、作業員の健康を維持し、熱射病や日射病を予防し、少しでも環境を快適化し、又、体温の過上昇を防止するため、冷却服を着用することが推奨される。このような冷却服として、例えば、下記の特許文献１〜４に記載のものが知られている。
【先行技術文献】
【特許文献】
【０００３】
【特許文献１】特開２０１１−１６７６号公報
【特許文献２】実用新案登録第３１４６６１６号公報
【特許文献３】実用新案登録第３１７９９６８号公報
【特許文献４】実用新案登録第３０８７５６７号公報
【考案の概要】
【考案が解決しようとする課題】
【０００４】
特許文献１〜３に開示されている冷却服は、両側腹部や体の前面に設けたアジャスタベルト等を用いて着用するタイプであり、特許文献４に開示されている冷却服は、体の前面に設けたファスナーを用いて着用するタイプである。すなわち、特許文献４に記載の冷却服は多様な体格の作業者に対応できず、特許文献１〜３に記載の冷却服は、多様な体格の作業者が着用できるようにするために別途に特殊な締結具が必要であり、コストアップになっていた。
【０００５】
本考案は、前記課題に鑑みてなされたもので、様々な体型の作業者にとって着脱が容易且つ一定以上の冷却効果を得られるフリーサイズのシンプル且つ低コストな保冷ベストを提供することを目的とする。
【課題を解決するための手段】
【０００６】
本考案の態様の１つは、メッシュ素材で作製されたベスト本体と、前記ベスト本体の内面側の左脇腹部に対して第１面ファスナーにて着脱自在に止着された第１袋状部と、前記ベスト本体の内面側の右脇腹部に対して第２面ファスナーにて着脱自在に止着された第２袋状部と、前記ベスト本体の背中内面側の襟刳り近傍に固定された第３袋状部と、一方の前身頃の裾部の外面側に沿って固定された第３面ファスナーと、他方の前身頃裾をウェストラインに沿って伸ばした帯状部の内面側に固定されて前記第３面ファスナーと雌雄係合する第４面ファスナーと、を備え、前記第１袋状部、第２袋状部及び第３袋状部に保冷剤が収容されることを特徴とする保冷ベストである。
【考案の効果】
【０００７】
本考案によれば、作業者にとって着脱が容易であり、また、様々な体型の作業者が装着して一定以上の冷却効果を得られるフリーサイズの保冷ベストを実現することが出来る。
【図面の簡単な説明】
【０００８】
【図１】保冷ペストの全体を示す斜視図である。
【図２】左右の袋状部を拡大して示した斜視図である。
【図３】袋状部の取付角度を説明する左側面図である。
【図４】保冷体の断面を模式的に示した図である。
【図５】保冷体の熱特性に係る第１の試験結果と試験方法を示す図である。
【図６】保冷体の熱特性に係る第１の試験結果と試験方法を示す図である。
【図７】保冷体の熱特性に係る第２の試験結果と試験方法を示す図である。
【図８】保冷体の熱特性に係る第２の試験結果と試験方法を示す図である。
【図９】保冷ベストの使用状態を説明する図である。
【図１０】袋状部の止着位置を説明する図である。
【図１１】保温ベストの全体を示す斜視図である。
【図１２】カイロの熱特性に係る試験結果と試験方法を示す図である。
【図１３】カイロの熱特性に係る試験結果と試験方法を示す図である。
【考案を実施するための形態】
【０００９】
以下、下記の順序に従って本考案を説明する。
（１）本実施形態の構成：
（２）変形例：
（３）まとめ：
【００１０】
（１）本実施形態の構成： 
本実施形態に係る保冷ベストは、メッシュ素材で作製されたベスト本体の内面側の所定の３箇所にそれぞれ袋状部を有する。更に、左右前身頃の裾付近をそれぞれウェストラインに沿って他方の脇腹方向（右前身頃については左脇腹方向、左前身頃については右脇腹方向）に向かって伸ばした帯状部を有している。
【００１１】
袋状部の１つは、ベスト本体内面側の背中側の襟刳り近傍に固定されている。その他の２つの袋状部は、着用者の左脇腹部と右脇腹部に当接するベスト本体内面側に設けられており、それぞれ面ファスナーでベスト本体に対して着脱自在に止着されている。
【００１２】
これら２つの袋状部をベスト本体に対して止着するための面ファスナーは、ウェストライン方向に沿った長さが一定長以上であり、袋状部の止着位置を、着用者の脇腹近辺でウェストライン方向に沿って前後に変更可能になっている。
【００１３】
このように構成された保冷ベストは、シンプル且つ低コストで、様々な体型の作業者にとって着脱が容易なフリーサイズを実現する。また、従来品に比べて著しく長い冷感持続時間を実現することができる。
【００１４】
以下、本実施形態に係る保冷ベストについて具体的に説明する。
図１は、本実施形態に係る保冷ベスト１００の斜視図である。なお、同図及び以下で説明する各図にあらわれる網目模様部分は、略円形の通孔が無数に形成されたメッシュ生地を示す。
【００１５】
保冷ベスト１００は、ベスト本体１０、第１袋状部としての左袋状部７０、及び、第２袋状部としての右袋状部８０を備えている。ベスト本体１０は、通気性を有するメッシュ生地で作製されており、後身頃部２０、左前身頃部３０及び右前身頃部４０を備えている。
【００１６】
ベスト本体１０の後身頃部２０の内面側には、その襟刳り近傍に、第３袋状部としての上袋状部２１が縫着によりベスト本体１０に一体形成されている。この上袋状部２１には、後述する保冷体２００又はカイロ３００が収容される（図１には保冷体２００を例示）。
【００１７】
ベスト本体１０の左脇腹部の内面側には、左袋状部７０が、面ファスナー５０と面ファスナー７１の雌雄係合により着脱自在に止着されている。面ファスナー７１は、左袋状部７０に縫着によって固定されており、面ファスナー５０は、ベスト本体１０の左脇腹部の内面側に縫着によって固定されている。
【００１８】
同様に、ベスト本体１０の右脇腹部の内面側には、右袋状部８０が、面ファスナー６０と面ファスナー８１の雌雄係合により着脱自在に止着されている。面ファスナー８１は、右袋状部８０に縫着によって固定されており、面ファスナー６０は、ベスト本体１０の左脇腹部の内面側に縫着によって固定されている。
【００１９】
これら左袋状部７０と右袋状部８０にも、後述する保冷体２００又はカイロ３００が収納される（図１には保冷体２００を例示）。
【００２０】
また、ベスト本体１０の左前身頃部３０及び右前身頃部４０は、保冷ベスト１００を着用したときに、その裾部３１及び裾部４１が、着用者のウェストライン付近にくる長さである。
【００２１】
裾部３１には、着用時に着用者の右腰に向けてウェストラインに沿って延びる腰帯状部３２が形成されており、裾部４１には、着用時に着用者の左腰に向けてウェストラインに沿って延びる腰帯状部４２が形成されている。すなわち、左右の前身頃部の裾には、左右反対の腰に向けてウェストラインに沿って延びる腰帯状部がそれぞれ形成されている。
【００２２】
腰帯状部３２，４２の長さは、例えば、標準的な体格の者が、保冷ベスト１００の裾がウェストラインに略密着するように着用したときに、ウェストライン方向の先端が、左右反対の脇腹に到達する程度とする。腰帯状部３２，４２の幅（上下長さ）は、例えば、脇腹の最も下の肋骨から腰骨までの幅に略一致する程度の広さとする。
【００２３】
腰帯状部３２と腰帯状部４２は面ファスナー３３，４３の雌雄係合により互いに止着可能になっている。第４面ファスナーとしての面ファスナー３３は、腰帯状部３２の内面側に縫着によって固定されており、第３面ファスナーとしての面ファスナー４３は、腰帯状部４２の外面側に縫着によって固定されている。これらの面ファスナーを雌雄係合することにより、保冷ベスト１００の裾が着用者の腰周りに沿って密着固定される。
【００２４】
以上のように、面ファスナー３３，４３を設けた腰帯状部３２，４２を形成することにより、様々な体格の着用者が保冷ベスト１００を安定的に装着できるようになる。
【００２５】
なお、図１は、左裾を前にして着用する左前タイプの保冷ベストを例に取って記載しているため、面ファスナー３３を内面側に縫着すると共に面ファスナー４３を外面側に縫着してあるが、右裾を前にして着用する右前タイプの保冷ベストの場合は、面ファスナーの縫着面を内外逆にすることになる。
【００２６】
次に各袋状部の構造について説明する。
【００２７】
各袋状部は、その内寸が、保冷体２００の外寸と略一致する形状であり、図１では、略矩形の保冷体２００に合わせて略矩形としてある。また、各袋状部は、可撓性を有するメッシュ生地で作製されている。これにより、各袋状部は、その内部に収容した保冷体２００やカイロ３００を安定して保持することができる。
【００２８】
各袋状部には、保冷体２００やカイロ３００を出し入れするための開口が設けてあり、この開口には、内部に収容した保冷体２００やカイロ３００の脱落や飛び出しを防止するためのフラップが設けてある。これにより、保冷体２００やカイロ３００の出し入れが容易になり、また、保冷体２００とカイロ３００とを容易に入れ替えて、保冷ベスト１００を保温ベストに転用できる。
【００２９】
より具体的には、上袋状部２１には、その上端辺に沿って開口が設けてあり、この開口を覆うようにフラップ２２が設けてある。
【００３０】
フラップ２２は、雌雄の面ファスナー２３ａ，２３ｂにより、上袋状部２１の開口を閉塞した状態で固定される。面ファスナー２３ａは、フラップ２２の上袋状部２１の本体に当接する面に縫着によって固定されており、面ファスナー２３ａと雌雄係合する面ファスナー２３ｂは、上袋状部２１の本体のフラップ２２に当接する面に縫着によって固定されている。
【００３１】
また、図２に示すように、左袋状部７０には、その一辺に沿って開口が設けてあり、この開口にはフラップ７２が設けてある。また、右袋状部８０には、その一辺に沿って開口が設けてあり、この開口にはフラップ８２が設けてある。図２は、左袋状部７０と右袋状部８０を拡大して示した斜視図である。
【００３２】
左袋状部７０の本体においてフラップ７２に当接する面には、面ファスナー７３ａが縫着によって固定されており、フラップ７２において左袋状部７０の本体が当接する面には、面ファスナー７３ａと雌雄係合する面ファスナー７３ｂが縫着によって固定されている。
【００３３】
また、フラップ８２の右袋状部８０の本体に当接する面には、面ファスナー８３ａが縫着によって固定されており、右袋状部８０の本体のフラップ８２に当接する面には、面ファスナー８３ａと雌雄係合する面ファスナー８３ｂが縫着によって固定されている。
【００３４】
これにより、フラップ７２は、雌雄の面ファスナー７３ａ，７３ｂによって左袋状部７０の開口を閉塞した状態で止着可能となり、フラップ８２は、雌雄の面ファスナー８３ａ，８３ｂによって右袋状部８０の開口を閉塞した状態で止着可能となる。
【００３５】
保冷ベスト１００の各部の素材は、例えば、ベスト本体１０、衣服の端になる衿回、裾及び袖口を玉縁処理するパイピング、並びに各袋状部の素材は、ポリエステル１００％とし、各面ファスナーの素材は、ナイロン１００％とする。
【００３６】
左袋状部７０と右袋状部８０は、図３に示すように、その取り付け角度を自在に変更可能である。なお、左右の袋状部の止着位置は正中線を線対称の軸とした略対称であるため、図３には左袋状部７０を例に取り示してある。図３（ａ）は、左袋状部７０の開口を前方に向けてベスト本体１０に取り付けた状態であり、図３（ｂ）は、左袋状部７０の開口を上方に向けてベスト本体１０に取り付けた状態を示す。
【００３７】
このように、左右の袋状部の取り付け角度が自在であるため、使用者は、保冷体２００の出し入れ等の便宜に応じて、適宜に開口の方向を選択して左右の袋状部を止着することができる。
【００３８】
次に、保冷体２００について説明する。保冷体２００は、上袋状部２１、左袋状部７０及び右袋状部８０に収納可能な大きさであり、保冷体２００が蓄冷時に柔軟性をほとんど有さない場合は、例えばこれら袋状部よりも一回り小さいサイズとする。
【００３９】
また、本実施形態に係る保冷体２００は、ポリエステル等で形成された袋内に、保冷剤（蓄冷剤）を充填して密封した公知の各種の保冷体を用いることができる。保冷剤の材料は、冷凍庫等で冷却することによって蓄冷可能な素材であれば様々なものが使用可能である。
【００４０】
このような保冷体の中でも特に高性能なものとして、例えば、ＣＩＤＣＯ（登録商標）ＣＯＯＬがある。このＣＩＤＣＯ（登録商標）ＣＯＯＬは、後述の試験結果に示すように、従来の保冷体に比べて冷感持続時間が飛躍的に長くなっている。そこで、以下では、保冷体２００としてのＣＩＤＣＯ（登録商標）ＣＯＯＬについて、その構造及び冷感持続時間に係る試験結果を説明する。
【００４１】
図４は保冷体の断面を模式的に示した図である。同図に示すように、保冷体２００としてのＣＩＤＣＯ（登録商標）ＣＯＯＬは、保冷剤２１０と、この保冷剤２１０を包み込む内袋２２０と、内袋２２０を収容する外袋２３０と、により構成される。
【００４２】
保冷剤２１０は、冷凍庫等で冷却することによって蓄冷可能な素材であれば様々なものが使用可能であり、例えば、水を吸収させた高吸水性ポリマーを用いることができる。より具体的には、重量％で、２０〜２５％の吸水性ポリマー、７５〜８０％の水、０．０１％の防腐剤、を全体として１００％となる割合で成分を調整した保冷剤が例示される。
【００４３】
内袋２２０は、断熱と冷感持続時間を長くする機能を有し、例えば、外面側から順に、アルミ箔層２２０ａ、ポリエチレン層２２０ｂとする。さらに、内袋２２０には、真珠の粉末を含む層（以下、パール含有層と記載する。）を少なくとも１層以上含むことが好ましい。パール含有層で保冷剤を包み込むことにより、後述するように、従来の保冷体に比べて冷感持続時間が飛躍的に長くなるためである。
【００４４】
外袋２３０は、内袋２２０を物理的に保護する機能を有する。外袋２３０は、例えば、ビニール袋を用い、好ましくは、衝撃強度に優れているナイロンとポリエチレンの複合素材を用いる。
【００４５】
次に、保冷体２００の第１の試験結果について説明する。
【００４６】  図５，６は、保冷体２００保冷能力の第１の試験結果と試験方法を示す。これらの図に示す試験結果（Ｎｏ．ＳＢ−１２−０１０４８２Ｒ）は、（公序良俗違反につき、不掲載）に依頼して下記の条件で行ったものである。ただし、図５，６に示す試験では、上述したパール含有層を内袋２２０に設けていない保冷体２００を用いた。
【００４７】
［試験方法］
（１）試料を−２０℃の恒温器に約１６時間入れ、冷却する。
（２）恒温器から試料を取り出し、速やかに２５℃の恒温恒湿器へ移す。
（３）試料の下に熱電対を取り付けた３分後を試験開始とし、温度の経時変化を測定する。
（４）試験は位置を入れ替えて４回測定し、そのデータを平均した値を試験結果とする。
温湿度：２５±２℃×５０±５％ＲＨ
測定間隔：１分
測定時間：２４０分
【００４８】
図５，６に示す試験では、保冷体の製品品質のバラツキを考慮し、図６に写真で示す３つ保冷体（丸数字１〜３）を用いた。なお、試験項目・結果の欄に記載する丸数字１〜３は、丸数字１〜３の各保冷体に対応する。図５に示すように、３つの保冷体２００は、いずれも試験開始から２４０分を経過した時点で１０℃未満を維持していた。
【００４９】
一般的に、使用者が冷感を感じるためには、外気温との温度差が１０℃以上あることが必要であると言われるところ、上記試験結果において、保冷体２００としての３つのＣＩＤＣＯ（登録商標）ＣＯＯＬは、この１０℃以上の温度差を２４０分以上持続している。すなわち、２４０分以上の冷感持続時間を示しており、非常に高い冷却能力を有することが示されている。
【００５０】
次に、保冷体２００の第２の試験結果について説明する。
【００５１】  図７，８は、保冷体２００保冷能力の第２の試験結果と試験方法を示す。これらの図に示す試験結果（Ｎｏ．ＳＢ−１２−０１７２６７Ｒ）も、（公序良俗違反につき、不掲載）に依頼して下記の条件で行ったものである。なお、図７，８に示す試験では、上述したパール含有層を内袋２２０に設けた保冷体２００を用いた。
【００５２】
［試験方法］
（１）試料を−２０℃の恒温器に約１６時間以上入れ、冷却する。
（２）恒温器から試料を取り出し、速やかに３５℃の恒温恒湿器へ移す。
（３）試料の下に熱電対を取り付けた３分後を試験開始とし、温度の経時変化を測定する。
（４）試験は位置を入れ替えて３回測定し、そのデータを平均した値を試験結果とする。
温湿度：３５±２℃×５０±５％ＲＨ
測定間隔：１分
測定時間：２４０分
【００５３】
なお、図５，６に示す試験とは異なり、図７，８に示す試験では、無風条件下で試験を行った。
【００５４】
図７，８の試験では、保冷体の製品品質のバラツキを考慮し、図８に写真で示す３つ保冷体（丸数字１〜３）を用いた。なお、試験項目・結果の欄に記載する丸数字１〜３は、丸数字１〜３の各保冷体に対応する。図７に示すように、３つの保冷体２００は、いずれも試験開始から２４０分を経過した時点でも１５℃未満を維持していた。
【００５５】
すなわち、上記試験結果では、保冷体２００としての３つのＣＩＤＣＯ（登録商標）ＣＯＯＬは、少なくとも２４０分以上の冷感持続時間を有しており、非常に高い冷却能力を有することが示されている。
【００５６】
また、図７，８に示す試験結果では、図５，６に示す試験よりも劣悪な温度条件下（３５℃）で試験を行ったにも関わらず、図５，６に示す試験よりも高い冷感を長時間維持しており、パール含有層を有さない保冷体２００に比べて、高い冷感持続性能を有することが示されている。
【００５７】
次に、保冷ベスト１００の使用状態について説明する。
【００５８】
図９は、保冷ベストの使用状態を説明する図である。同図には保冷ベスト１００の正面図の腰帯状部３２，４２の部分を拡大して示しており、図９（ａ）は標準的な体型の者（以下、標準体型者と記載する。）が保冷ベスト１００装着した状態を示し、図９（ｂ）は標準よりもウェストが太い者（以下、太身体型者と記載する。）が同じ保冷ベスト１００を装着した状態を示している。
【００５９】
図９（ａ）に示すように、標準体型者が装着すると、面ファスナー３３の略全体が正中線寄りの位置で面ファスナー４３に当接して止着され、腰帯状部３２のウェスト方向の先端が正中線と右脇腹の間で右脇腹寄りに位置する。
【００６０】
一方、図９（ｂ）に示すように、太身体型者が装着すると、面ファスナー３３の一部のみが面ファスナー４３に当接して止着され、腰帯状部３２のウェスト方向の先端が、右脇腹と正中線の間で正中線よりに位置する。
【００６１】
また、図９には示していないが、標準よりもウェストが細い細身体型者が装着すると、面ファスナー３３の略全体が右脇腹寄りの部位で面ファスナー４３に当接して止着され、腰帯状部３２のウェスト方向の先端が右脇腹と略一致若しくは右脇腹よりも背中側に位置する。
【００６２】
このように、面ファスナー３３を幅広に形成することにより、ウェストサイズの大小に関わらずどのような体型の者でも着用可能なフリーサイズの保冷ベスト１００が実現されていることが分かる。
【００６３】
図１０は、左右の袋状部の止着位置を説明する左側面図である。図１０（ａ）は、図９（ａ）に示すように腰帯状部を止着した状態に対応し、図１０（ｂ）は、図９（ｂ）に示すように腰帯状部を止着した状態に対応する。なお、左右の袋状部の止着位置は正中線を線対称の軸とした略対称であるため、図１０には左袋状部７０を例に取り示してある。
【００６４】
面ファスナー５０と面ファスナー７１は、図１０（ａ）の場合、面ファスナー７１の略全体が面ファスナー５０に対して雌雄係合した状態で止着されており、図１０（ｂ）の場合、面ファスナー７１の前方側半分が面ファスナー５０に対して雌雄係合した状態で止着されている。
【００６５】
面ファスナー５０は、ウェストライン方向において、左袋状部７０と略同一サイズ又は左袋状部７０よりも幅広に形成されている。これにより、左右の袋状部の止着位置は、保冷ベスト１００の着用者の便宜に応じて左右に自在に変更可能になる。
【００６６】
むろん、面ファスナー５０は、上下方向においても、左袋状部７０と略同一サイズ又は左袋状部７０よりも幅広に形成してもよい。この場合、左右の袋状部の止着位置は、ウェストライン方向のみならず、保冷ベスト１００の着用者の便宜に応じて上下や斜め方向に自在に変更可能になる。
【００６７】
このように、面ファスナー７１を左袋状部７０の止着面の略全面に設けつつ、面ファスナー５０の面積を面ファスナー７１と略同一サイズ又は広めに形成することにより、ウェストサイズの大小に関わらず様々な体型の者が着用しても左袋状部７０の止着位置を適切な位置に変更できるフリーサイズの保冷ベスト１００が実現される。
【００６８】
（２）変形例： 
なお、上述した実施形態においても説明したが、図１１に示すように、保冷体２００の代わりに各袋状部にカイロ３００を収容し、保冷ベスト１００を保温ベスト４００として用いることもできる。なお、図１１に示す保温ベスト４００は、カイロ３００を除くと図１に示す保冷ベスト１００と同様の構成であるため、図１と同じ符号を付して、以下では説明を省略する。
【００６９】
保温ベスト４００の試験結果について説明する。
【００７０】  図１２，１３は、保温ベスト４００の保温能力の試験結果と試験方法を示す。これらの図に示す試験結果（Ｎｏ．ＳＢ−１２−０１１６３７）は、（公序良俗違反につき、不掲載）に依頼して下記の条件で行ったものである。
【００７１】
［試験方法］
（１）試料を外袋から取り出し、６回軽く振る。
（２）速やかに５℃の恒温器へ移す。
（３）試料の下に熱電対を取り付け、温度の経時変化を測定する。
（４）試験は位置を入れ替えて２回測定し、そのデータを平均した値を試験結果とする。
温湿度：５±２℃
測定間隔：１分
測定時間：１２時間
【００７２】
図１２，１３の試験には、２種類のカイロ３００ａ，３００ｂ（不図示）を用いた。カイロ３００ａは、図１３に示す丸数字１のＫ社（桐灰化学株式会社（登録商標））が市販する貼るタイプのカイロであり、カイロ３００ｂは、図１３に示す丸数字２のＨ社（株式会社白元（登録商標））が市販する貼らないタイプのカイロである。
【００７３】
その結果、図１２及び図１３に示すように、カイロ３００ａは試験開始から１２時間を経過した時点でも１０℃以上を維持し、カイロ３００ｂは試験開始から６時間を経過した時点で１０℃以上を維持することが分かった。
【００７４】
すなわち、上記試験結果から、市販のカイロを保冷体２００の代わりに各袋状部に入れた保温ベスト４００は、着用者に６〜１２時間、外気温との温度差が５℃以上ある状態を維持することが示された。
【００７５】
（３）まとめ： 
以上説明したように、本実施形態に係る保冷ベスト１００は、メッシュ素材で作製されたベスト本体１０と、ベスト本体１０の内面側の左脇腹部に対して面ファスナー５０にて着脱自在に止着された左袋状部７０と、ベスト本体１０の内面側の右脇腹部に対して面ファスナー６０にて着脱自在に止着された右袋状部８０と、ベスト本体１０の背中内面側の襟刳り近傍に固定された上袋状部２１と、右前身頃の裾部の外面側に沿って固定された面ファスナー４３と、右前身頃裾をウェストラインに沿って伸ばした腰帯状部３２の内面側に固定されて面ファスナー４３と雌雄係合する面ファスナー３３と、を備え、左袋状部７０、右袋状部８０及び上袋状部２１に保冷体２００が収容される。
【００７６】
このような保冷ベスト１００は、作業者にとって着脱が容易であり、また、様々な体型の作業者が装着して一定以上の冷却効果を得られるフリーサイズの保冷ベストが実現される。また、保冷ベスト１００は、保冷体１００をカイロ３００に入れ替えることにより、保温ベスト４００として用いることもできる。
【００７７】
なお、本考案は上述した実施形態や変形例に限られず、上述した実施形態および変形例の中で開示した各構成を相互に置換したり組み合わせを変更したりした構成、公知考案並びに上述した実施形態および変形例の中で開示した各構成を相互に置換したり組み合わせを変更したりした構成、等も含まれる。また，本考案の技術的範囲は上述した実施形態に限定されず，実用新案登録請求の範囲に記載された事項とその均等物まで及ぶものである。
【符号の説明】
【００７８】
１０…ベスト本体、２０…後身頃部、２１…上袋状部、２２…フラップ、２３ａ…面ファスナー、２３ｂ…面ファスナー、３０…左前身頃部、３１…裾部、３２…腰帯状部、３３…面ファスナー、４０…右前身頃部、４１…裾部、４２…腰帯状部、４３…面ファスナー、５０…面ファスナー、６０…面ファスナー、７０…左袋状部、７１…面ファスナー、７２…フラップ、７３ａ…面ファスナー、７３ｂ…面ファスナー、８０…右袋状部、８１…面ファスナー、８２…フラップ、８３ａ…面ファスナー、８３ｂ…面ファスナー、１００…保冷ベスト、２００…保冷体、２１０…保冷剤、２２０…内袋、２２０ａ…アルミ箔層、２２０ｂ…ポリエチレン層、２３０…外袋、３００…カイロ、３００ａ…カイロ、３００ｂ…カイロ、４００…保温ベスト
【図１】
0003182383.tif 000003
【図２】
0003182383.tif 000004
【図３】
0003182383.tif 000005
【図４】
0003182383.tif 000006
【図５】
0003182383.tif 000007
【図７】
0003182383.tif 000008
【図９】
0003182383.tif 000009
【図１０】
0003182383.tif 000010
【図１１】
0003182383.tif 000011
【図１２】
0003182383.tif 000012
【図６】
0003182383.tif 000013
【図８】
0003182383.tif 000014
【図１３】
0003182383.tif 000015
【手続補正書】
【提出日】平成25年1月21日(2013.1.21)
【手続補正１】
【補正対象書類名】明細書
【補正対象項目名】００４６
【補正方法】変更
【補正の内容】
【００４６】
図５，６は、保冷体２００保冷能力の第１の試験結果と試験方法を示す。これらの図に示す試験結果は、下記の条件で行ったものである。ただし、図５，６に示す試験では、上述したパール含有層を内袋２２０に設けていない保冷体２００を用いた。
【手続補正２】
【補正対象書類名】明細書
【補正対象項目名】００５１
【補正方法】変更
【補正の内容】
【００５１】
図７，８は、保冷体２００保冷能力の第２の試験結果と試験方法を示す。これらの図に示す試験結果も、下記の条件で行ったものである。なお、図７，８に示す試験では、上述したパール含有層を内袋２２０に設けた保冷体２００を用いた。
【手続補正３】
【補正対象書類名】明細書
【補正対象項目名】００７０
【補正方法】変更
【補正の内容】
【００７０】
図１２，１３は、保温ベスト４００の保温能力の試験結果と試験方法を示す。これらの図に示す試験結果は、下記の条件で行ったものである。
【手続補正４】
【補正対象書類名】図面
【補正対象項目名】図５
【補正方法】変更
【補正の内容】
【図５】
0003182383.tif 000016
【手続補正５】
【補正対象書類名】図面
【補正対象項目名】図６
【補正方法】変更
【補正の内容】
【図６】
0003182383.tif 000017
【手続補正６】
【補正対象書類名】図面
【補正対象項目名】図７
【補正方法】変更
【補正の内容】
【図７】
0003182383.tif 000018
【手続補正７】
【補正対象書類名】図面
【補正対象項目名】図８
【補正方法】変更
【補正の内容】
【図８】
0003182383.tif 000019
【手続補正８】
【補正対象書類名】図面
【補正対象項目名】図１２
【補正方法】変更
【補正の内容】
【図１２】
0003182383.tif 000020
【手続補正９】
【補正対象書類名】図面
【補正対象項目名】図１３
【補正方法】変更
【補正の内容】
【図１３】
0003182383.tif 000021